(57)【特許請求の範囲】
【請求項１】
廃棄紙を入れる廃棄袋に添付された廃棄紙の種類、廃棄部署の情報を含むバーコードシールの読み取りと重量測定をおこなうことにより、廃棄紙の種類、排出部署、重量を特定し、特定される廃棄紙の種類、排出部署、重量のデータをコンピュータに自動送信し、廃棄物の種類、排出部署、重量、排出日時の廃棄紙履歴データを自動記録する廃棄紙の集計方法であって、
未使用の紙を供給する際に一定量の紙毎にバーコードシールを添付し、一定量の未使用の紙を使用するごとに、前記バーコードシールを廃棄袋に添付することにより未使用の紙の供給量を特定し、この未使用の紙の供給量と、上記廃棄物履歴データにより、紙回収率を計算することを特徴とする廃棄紙の集計方法。
【請求項２】
バーコードリーダ、重量秤を具備した運搬用車両を用い、廃棄紙を入れる廃棄袋に添付された廃棄紙の種類、廃棄部署の情報を含むバーコードシールの読み取りと重量測定をおこなうことにより、廃棄紙の種類、排出部署、重量を特定し、特定される廃棄紙の種類、排出部署、重量のデータをコンピュータに自動送信し、廃棄物の種類、排出部署、重量、排出日時の廃棄紙履歴データを自動記録する廃棄紙の集計方法であって、
未使用の紙を供給する際に一定量の紙毎にバーコードシールを添付し、一定量の未使用の紙を使用するごとに、前記バーコードシールを廃棄袋に添付することにより未使用の紙の供給量を特定し、この未使用の紙の供給量と、上記廃棄物履歴データにより、紙回収率を計算することを特徴とする廃棄紙の集計方法。
【請求項３】
廃棄紙を入れる廃棄袋に添付された廃棄紙の種類、廃棄部署の情報を含むバーコードシールの読み取りと重量測定をおこなうことにより、廃棄紙の種類、排出部署、重量を特定し、特定される廃棄紙の種類、排出部署、重量のデータをコンピュータに自動送信し、廃棄物の種類、排出部署、重量、排出日時の廃棄紙履歴データを自動記録する廃棄紙の集計方法であって、
未使用の紙の供給量を紙の納品伝票や納品データにより特定し、この未使用の紙の供給量と、廃棄物履歴データにより、紙回収率を計算することを特徴とする廃棄紙の集計方法。
【請求項４】
バーコードリーダ、重量秤を具備した運搬用車両を用い、廃棄紙を入れる廃棄袋に添付された廃棄紙の種類、廃棄部署の情報を含むバーコードシールの読み取りと重量測定をおこなうことにより、廃棄紙の種類、排出部署、重量を特定し、特定される廃棄紙の種類、排出部署、重量のデータをコンピュータに自動送信し、廃棄物の種類、排出部署、重量、排出日時の廃棄紙履歴データを自動記録する廃棄紙の集計方法であって、
未使用の紙の供給量を紙の納品伝票や納品データにより特定し、この未使用の紙の供給量と、廃棄物履歴データにより、紙回収率を計算することを特徴とする廃棄紙の集計方法。
【発明の詳細な説明】
【０００１】
【発明の属する技術分野】
本発明は複数のオフィスが入居するオフィスビルで発生する廃棄紙をシュレッッダー処理することなく、廃棄紙を回収し、集計・分別する廃棄紙の集計方法に関するものである。
【０００２】
【従来の技術】
複数のオフィスが入居するオフィスビルにおいて廃棄紙の回収は、通常ビル管理者が契約する１つの清掃業者が請け負っている。清掃業者はビル内の全てのオフィスから排出される廃棄紙を回収する。清掃業者によって回収された廃棄紙は、まとめて廃棄される。廃棄紙の回収時に廃棄紙重量を測定し、これを排出部署および排出部署の所属する企業に報告するサービスは行われていない。このため、企業の廃棄紙の回収重量、回収率についての情報を企業が把握するのは困難であった。
【０００３】
近年、地球環境保全が注目され、廃棄紙のリサイクルが注目されてきた。紙を大量消費する企業にとって廃棄紙の回収率を向上させることは地球環境を保全するための重要な義務である。企業のすべての構成部署が１地域に集中していれば、廃棄紙の回収重量は当該企業が容易に把握することができる。しかし、通常、企業はすべての構成部署が１地域に集中して配置されていることはなく、複数の地域に分散されているため、廃棄紙重量を把握するためには、分散されたすべての構成部署の廃棄紙重量を把握しなければならない。前述したように、各構成部署が排出する廃棄紙の回収は、部署が入居する清掃業者にゆだねられるため廃棄紙の回収重量についての情報を企業が得るためには、清掃会社から回収重量の情報を得なければならない。しかし、現状では清掃業者は廃棄紙の回収時に重量測定は行われておらず、どのオフィスが排出したかの記録もおこなわれていない。よて企業が必要とする廃棄紙の回収重量、排出部署、廃棄紙の回収率の情報を把握することは困難である。
【０００４】
さらに、分別回収については、従来の回収方法では廃棄紙の種類、排出部署の情報がないため、これらを利用した分別が不可能であった。
【０００５】
【発明が解決しようとする課題】
このように従来の技術では、各企業は所属部署毎の紙の回収重量、企業の廃棄紙の回収率についての情報を把握するのは困難であった。しかし地球環境保全の立場から企業がこれらの情報を把握することは必要条件であり、正確かつ簡潔にこれらの情報を得るための方法を開発することは急務である。
【０００６】
本発明は上記の事情に鑑みてなされたもので、バーコードシールと廃棄紙の重量測定を行うことにより、各企業毎の廃棄紙の回収重量、排出部署、廃棄紙の回収率の情報を把握することができ、また、廃棄紙の種類、排出部署により分別回収を行うことができる廃棄紙の集計方法を提供することを目的とする。
【０００７】
【課題を解決するための手段】
上記目的を達成するために本発明の廃棄紙の集計方法は、廃棄紙を入れる廃棄袋に添付された廃棄紙の種類、廃棄部署の情報を含むバーコードシールの読み取りと重量測定をおこなうことにより、廃棄紙の種類、排出部署、重量を特定し、特定される廃棄紙の種類、排出部署、重量のデータをコンピュータに自動送信し、廃棄物の種類、排出部署、重量、排出日時の廃棄紙履歴データを自動記録する廃棄紙の集計方法であって、未使用の紙を供給する際に一定量の紙毎にバーコードシールを添付し、一定量の未使用の紙を使用するごとに、前記バーコードシールを廃棄袋に添付することにより未使用の紙の供給量を特定し、この未使用の紙の供給量と、上記廃棄物履歴データにより、紙回収率を計算することを特徴とする。
【００１０】
また本発明は、バーコードリーダ、重量秤を具備した運搬用車両を用い、廃棄紙を入れる廃棄袋に添付された廃棄紙の種類、廃棄部署の情報を含むバーコードシールの読み取りと重量測定をおこなうことにより、廃棄紙の種類、排出部署、重量を特定し、特定される廃棄紙の種類、排出部署、重量のデータをコンピュータに自動送信し、廃棄物の種類、排出部署、重量、排出日時の廃棄紙履歴データを自動記録する廃棄紙の集計方法であって、未使用の紙を供給する際に一定量の紙毎にバーコードシールを添付し、一定量の未使用の紙を使用するごとに、前記バーコードシールを廃棄袋に添付することにより未使用の紙の供給量を特定し、この未使用の紙の供給量と、上記廃棄物履歴データにより、紙回収率を計算することを特徴とする。
【００１１】
また本発明は、廃棄紙を入れる廃棄袋に添付された廃棄紙の種類、廃棄部署の情報を含むバーコードシールの読み取りと重量測定をおこなうことにより、廃棄紙の種類、排出部署、重量を特定し、特定される廃棄紙の種類、排出部署、重量のデータをコンピュータに自動送信し、廃棄物の種類、排出部署、重量、排出日時の廃棄紙履歴データを自動記録する廃棄紙の集計方法であって、未使用の紙の供給量を紙の納品伝票や納品データにより特定し、この未使用の紙の供給量と、廃棄物履歴データにより、紙回収率を計算することを特徴とする。
また本発明は、バーコードリーダ、重量秤を具備した運搬用車両を用い、廃棄紙を入れる廃棄袋に添付された廃棄紙の種類、廃棄部署の情報を含むバーコードシールの読み取りと重量測定をおこなうことにより、廃棄紙の種類、排出部署、重量を特定し、特定される廃棄紙の種類、排出部署、重量のデータをコンピュータに自動送信し、廃棄物の種類、排出部署、重量、排出日時の廃棄紙履歴データを自動記録する廃棄紙の集計方法であって、未使用の紙の供給量を紙の納品伝票や納品データにより特定し、この未使用の紙の供給量と、廃棄物履歴データにより、紙回収率を計算することを特徴とする。
【００１６】
本発明では、廃棄紙の種類、廃棄部署の情報を、バーコードシールを仲介として排出するオフィスから回収業者に伝達する。回収業者が廃棄紙を回収する際に廃棄袋の重量を測定する。以上の廃棄紙の種類、廃棄部署、廃棄紙の重量と排出日時を回収業者のコンピュータに自動送信することにより、廃棄紙の排出履歴の管理、廃棄紙の回収率を管理する。またバーコードにより伝達される情報により分別回収する。
【００１７】
以上に述べたように、廃棄紙の種類、回収重量、回収率、排出部署の情報を回収時に保持し、さらに企業に報告する点で本発明のサービスは従来サービスとは大きく異なる。さらに廃棄紙の種類、排出部署に分別場所を指定する方法は従来サービスには存在しないため、大きく異なる。
【００１８】
【発明の実施の形態】
以下図面を参照して本発明の実施形態例を詳細に説明する。
【００１９】
図１に本発明による廃棄紙回収分別システムを示す。廃棄紙は専用の廃棄紙回収袋３の中にいれて回収する。廃棄紙回収袋３には廃棄紙の種類、排出部署の情報を含むバーコードシール４を添付する。廃棄紙回収には、専用の運搬車１を用いる。運搬車１は、廃棄紙重量を測定する重量秤２、バーコードリーダ５を具備する。重量秤２は運搬車１上の物品の重量を測定できる。バーコードリーダ５は廃棄紙回収袋３に添付されたバーコードシール４を読み込むことができる。さらにこれらの重量、廃棄紙の種類、排出部署および排出日時のデータを結合するデータ結合機６、結合されたデータを送信するデータ送信機７を具備する。オフィスビル内には前記の送信機７から送信された無線信号を中継する中継機８、中継機８からのデータを伝送するローカルネットワーク９、ローカルネットワーク９により伝送されたデータを中継する中継機１０、中継機１０からのデータを受信する回収業者のコンピュータ１１が具備されている。
【００２０】
廃棄紙を回収するには、廃棄紙回収袋３を運搬車１に積載し、運搬する。積載と同時に廃棄紙重量を測定できる。さらにバーコードリーダ５を用いて廃棄紙回収袋３に添付されたバーコードシール４のバーコードを読み込むことにより廃棄紙の種類、排出部署、排出日時の情報を読み込む。以上のデータをデータ結合機６により結合して、無線送信する。無線送信されたデータは中継機８，ローカルネットワーク９，中継機１０を介して回収業者コンピュータ１１へ送信される。回収業者コンピュータ１１では、受信したデータを表計算ソフトにより計算、集計する。１１１は回収業者コンピュータ１１の表示画面で廃棄紙排出履歴データが企業部署毎に並べ替えて表示される。
【００２１】
図２に本発明による廃棄紙回収分別システムを示す。図２は複数のオフィス１２，１３，１４，１５が混在するオフィスビル１７の例である。本例では、回収業者管理事務所１６は１つ存在する。オフィス１２，１３，１４，１５から排出された廃棄紙を回収するか否かは例えば、特願２０００−１２４３１８に示される方法を利用して判断する。すなわち、特願２０００−１２４３１８に示される方法は、廃棄物の回収ボックスに重量センサを付加して、保管廃棄物の重量が閾値以上の重量値を示した場合に回収する方法を改良したもので、閾値に達しなくても重量が設定閾値と範囲ｗ１以内で重量変移Δｗ２が予め設定した値ｗ２ｔｈよりも大きい場合には回収するという方法の提案である。回収ボックスの容量を廃棄物が超過しないという利点がある。本発明で例にあげた方法はこの方法である。本例は、廃棄紙の排出部署がオフィスビル１７内の異なるフロアに存在する場合である。運搬車１により回収、運搬される廃棄袋の重量、廃棄紙の種類、排出部署、排出日時のデータは運搬車１に具備された送信機７により送信され、フロア毎に設置されている中継機８を介して、ローカルネットワーク９に送られる。ローカルネットワーク９は、オフィス１２，１３，１４，１５と回収業者管理事務所１６を接続している。ローカルネットワーク９を介して伝送されたデータは回収業者管理事務所１６に伝えられる。
【００２２】
図３は廃棄紙の回収率を計算する例である。紙束１８−１，１８−２，１９を供給する際に、一定量の紙束ごとにバーコードシール４を添付する。上記一定量の紙を使用するごとに、廃棄担当者がバーコードシール４を紙束からはがし、廃棄紙回収袋３に添付しなおす。図３の例では、紙束１８−１，１８−２が使用済みであり、紙束１９は未使用である。紙束１８−１，１８−２に添付してあったバーコード４をはがして、廃棄紙回収袋４に添付しなおす。廃棄紙回収袋３の重量を運搬車１に具備された重量秤１で測定することにより、廃棄紙の重量が得られる。廃棄紙回収袋３に添付してあったバーコードシール４より、紙束１８−１，１８−２の未使用時の重量が得られるため、回収率＝（廃棄紙重量）／（未使用時紙束重量）の式により廃棄紙回収率が計算される。紙束に添付されたバーコードシール４は、企業の事務用品センターに用意し、供給するごとに紙束に添付する。バーコードには企業名、部署名、紙の種類を含ませる。
【００２３】
図４は廃棄紙の回収率を計算する例である。図３の例では紙束の未使用時重量を求めるのに、バーコードを用いたが本例では納品伝票などの納品データを用いる。廃棄紙回収袋３の重量を運搬車１に具備された重量秤２で測定することにより、廃棄紙の重量が得られる。納品伝票などの納品データ２０−１，２０−２により供給した紙束の未使用時の重量が得られるため、回収率＝（一定期間の廃棄紙重量の総和）／（一定期間に供給された紙束の未使用時重量の総和）の式により廃棄紙回収率が計算される。納品データから得られる未使用時の紙束の重量は企業の事務用品センターから回収業者管理事務所のコンピュータ１１にインターネットを介して送信する。
【００２４】
図５、図６はバーコードにより廃棄紙を分別、保管、輸送する例である。図５は新紙と再生紙に各企業の各部毎に分別した例である。分別したのち再生紙の廃棄紙は保管場所Ｇに保管、トラックＴＧにて輸送する。新紙の廃棄紙は保管場所Ｈに保管、トラックＴＨにて輸送する。図6は企業別に再生紙及び新紙を分別した例である。Ａ企業は保管場所Ｇに保管、トラックＴＧにて輸送し、Ｄ企業は保管場所Ｈに保管、トラックＴＨにて輸送する。
【００２５】
図７、図８は図５、図６に示した方法で分別した廃棄紙を保管、輸送する例である。図７は再生紙、新紙別に分別した廃棄紙を、再生紙は保管場所Ｇに、新紙は保管場所Ｈに保管することを示す。保管された紙は一定時間経過するか、一定重量蓄積したならばトラックで輸送する。保管場所Ｇに保管された再生紙の廃棄紙はトラックＴＧにて保管場所Ｇから搬出される。保管場所Ｈに保管された新紙の廃棄紙はトラックＴＨにて保管場所Ｈから搬出される。図７に示した例は、再生紙と新紙をリサイクルする場合のリサイクル工場が異なる場合にあてはまる。
【００２６】
図８は企業別に分別した廃棄紙を、Ａ企業は保管場所Ｇに、Ｄ企業は保管場所Ｈに保管することを示す。保管された紙は一定時間経過するか、一定重量蓄積したならばトラックで搬送する。保管場所Ｇに保管された企業Ａから廃棄された廃棄紙はトラックＴＧにて保管場所Ｇから搬出される。保管場所Ｈに保管された企業Ｄの廃棄紙はトラックＴＨにて保管場所Ｈから搬出される。図８に示した例は、廃棄紙の処理を委託された工場が企業によって異なる場合にあてはまる。
【００２７】
図９は少なくとも１つ以上の企業が入居する集合オフィスビル１７で、１２〜１５のオフィスで発生する廃棄紙を回収する廃棄紙回収システムにおいて、各オフィスから排出された廃棄紙を回収分別し、そのときの廃棄紙排出履歴データ、紙回収率、廃棄紙分別データ３１を回収業者管理事務所１６のビル管理会社コンピュータ１１に自動送信し、排出部署ごとの廃棄紙排出履歴データ、紙回収率、廃棄紙分別データ３２、３３を、前記部署が属する企業Ａ、Ｂ社それぞれにインターネットを介して送付する廃棄紙回収、分別サービスの例である。
【００２８】
【発明の効果】
以上述べたように本発明によれば、廃棄紙の回収重量、排出部署、廃棄紙の回収率の情報を把握することができる。また、廃棄紙の種類、排出部署により分別回収を行うことができる。以上により地球環境保全に寄与することができる。
【図面の簡単な説明】
【図１】本発明の実施形態例を示すシステム構成図である。
【図２】本発明に係わる第１の実施形態例を示すシステム構成図である。
【図３】本発明に係わる第２の実施形態例を示すシステム構成図である。
【図４】本発明に係わる第３の実施形態例を示すシステム構成図である。
【図５】本発明に係わる第４の実施形態例を示すシステム構成図である。
【図６】本発明に係わる第５の実施形態例を示すシステム構成図である。
【図７】本発明に係わる第６の実施形態例を示すシステム構成図である。
【図８】本発明に係わる第７の実施形態例を示すシステム構成図である。
【図９】本発明に係わる第８の実施形態例を示すシステム構成図である。
【符号の説明】
１    運搬車
２    重量秤
３    廃棄紙回収袋
４    バーコードシール
５    バーコードリーダ
６    データ結合機
７    データ送信機
８    中継機
９    ローカルネットワーク
１０    中継機
１１    回収業者のコンピュータ
１２    ｉフロアのオフィス１
１３    ｊフロアのオフィス２
１４    ｋフロアのオフィス３
１５    ｌフロアのオフィス４
１６    回収業者管理事務所
１７    オフィスビル
１８−１，１８−２    使用済紙束
１９    未使用紙束
２０−１，２０−２    納品データ
【図１】
0003637271.tif 000002
【図２】
0003637271.tif 000003
【図３】
0003637271.tif 000004
【図４】
0003637271.tif 000005
【図５】
0003637271.tif 000006
【図６】
0003637271.tif 000007
【図７】
0003637271.tif 000008
【図８】
0003637271.tif 000009
【図９】
0003637271.tif 000010